(57)【特許請求の範囲】
【請求項１】
一定量の湯を貯湯する缶体と、該缶体内の温水を加熱するために燃焼を行う燃焼室と、該燃焼室に備えられたバーナ部と、前記燃焼室に燃焼用空気を供給する燃焼ファンと、前記燃焼室で燃焼したガスを排気するための排気筒とを備えた貯湯式給湯機に於いて、前記燃焼ファンの吸気口内に吸気口開閉弁を設け、燃焼ファンとバーナ部をつなぐ送風経路内に送風経路開閉弁を設け、排気筒内の上流に排気経路開閉弁を設け、前記吸気口開閉弁と送風経路開閉弁と排気経路開閉弁は、燃焼室の燃焼が開始する時は開放され、燃焼室の燃焼により缶体内の温水温度が設定温度以上になって燃焼室の燃焼が停止した後に閉鎖されることを特徴とする貯湯式給湯機。
【請求項２】
前記吸気口開閉弁と送風経路開閉弁と排気経路開閉弁は、燃焼室の燃焼により缶体内の温水温度が設定温度以上になって燃焼室の燃焼が停止した後、燃焼ファンを動作させてポストパージを終了させた後に閉鎖されることを特徴とする請求項１記載の貯湯式給湯機。
【発明の詳細な説明】
【技術分野】
【０００１】
この発明は、貯湯式給湯機に関するものである。
【背景技術】
【０００２】
従来よりこの種のものに於いては、バーナを燃焼させてその燃焼ガスと熱交換することにより、貯湯部の温水を設定温度まで加熱し、貯湯部の温水温度が設定温度に達するとバーナの燃焼を停止し、貯湯部の温水温度が下がってくるとバーナを再度燃焼させて、貯湯部の温水を設定温度まで加熱してバーナの燃焼を停止するという保温運転を行っていた。
（例えば、特許文献１参照）
【特許文献１】特開平１１−２５７７４８号公報
【発明の開示】
【発明が解決しようとする課題】
【０００３】
ところでこの従来のものでは、バーナを燃焼させて貯湯部の温水温度が設定温度に達するとバーナの燃焼を停止するが、その状態から貯湯部の温水温度が低下しないように貯湯部の周りを断熱材などにより覆ったものがあるが、貯湯部の温水の熱により、燃焼ファンから熱交換部の煙管内を通過して上部の排気管に上昇するドラフトによる気流が発生し、それにより貯湯部の温水が放熱されて貯湯部の温水温度が下がってくるという問題があった。
【課題を解決するための手段】
【０００４】
この発明はこの点に着目し上記課題を解決する為、特にその構成を請求項１では、一定量の湯を貯湯する缶体と、該缶体内の温水を加熱するために燃焼を行う燃焼室と、該燃焼室に備えられたバーナ部と、前記燃焼室に燃焼用空気を供給する燃焼ファンと、前記燃焼室で燃焼したガスを排気するための排気筒とを備えた貯湯式給湯機に於いて、前記燃焼ファンの吸気口内に吸気口開閉弁を設け、燃焼ファンとバーナ部をつなぐ送風経路内に送風経路開閉弁を設け、排気筒内の上流に排気経路開閉弁を設け、前記吸気口開閉弁と送風経路開閉弁と排気経路開閉弁は、燃焼室の燃焼が開始する時は開放され、燃焼室の燃焼により缶体内の温水温度が設定温度以上になって燃焼室の燃焼が停止した後に閉鎖されるものである。
【０００５】
又請求項２に係る貯湯式給湯機では、特にその構成を請求項１において、前記吸気口開閉弁と送風経路開閉弁と排気経路開閉弁は、燃焼室の燃焼により缶体内の温水温度が設定温度以上になって燃焼室の燃焼が停止した後、燃焼ファンを動作させてポストパージを終了させた後に閉鎖されるものである。
【発明の効果】
【０００７】
この発明の請求項１によれば、燃焼室の燃焼により缶体内の温水温度が設定温度以上になって燃焼室の燃焼が停止した後に、燃焼ファンの吸気口に設けた吸気口開閉弁も全閉状態にすることにより、吸気口から送風経路内に空気が流入せず、送風経路内の送風経路開閉弁も全閉状態であることでより確実に燃焼室内に空気が流入するのを防止でき、その上で排気経路開閉弁も全閉状態にすることにより、煙管内の空気が貯湯された温水により温められても排気管を上昇していくことができないため、燃焼ファンから煙管内を通過して上部の排気管に上昇するドラフトによる気流を発生させず、それにより缶体内の温水が放熱されて缶体内の温水温度が下がるのを防止できるものである。
【０００８】
又本発明の請求項２に記載の貯湯式石油給湯機によれば、請求項１に於いて、バーナ部の燃焼により、缶体内の温水の温度が設定温度以上になって、バーナ部の燃焼を停止した後にポストパージを行い、このポストパージ終了後に、吸気口開閉弁と送風経路開閉弁と排気経路開閉弁とを全て全閉状態にすることにより、煙管や燃焼室内や排気筒内に排気ガスが溜まるのを防止し、消火動作後に吸気口開閉弁と送風経路開閉弁と排気経路開閉弁とを全て全閉状態にしても水分を含んだガスが溜まっていないので、水分を含んだガスが冷えてドレイン（結露）となり、煙管や燃焼室内での低温腐食の原因となることを防止できるものである。
【図面の簡単な説明】
【００１０】
【図１】この発明一実施例を付した貯湯式石油給湯機の概略構成図。
【図２】同フローチャート図。
【発明を実施するための最良の形態】
【００１１】
次に、本発明に係る発明の一実施形態を図面に基づいて説明する。
１は一定量の湯を貯湯する円筒状の缶体で、内方には風呂用熱交換器２と煙管３及び下方には燃焼室４を備え、更にこの燃焼室４には点火電極５やノズル６が一体となったガンタイプ式のバーナ部７が備えられ、更に吸気口８から吸気した空気を燃焼用空気として燃焼室４に送風する燃焼ファン９が設けられているものである。
【００１２】
１０は缶体１上部に備えられ該缶体１表面温度を検知するサーモスタットから成る空焚き検知サーモで、常時閉成状態で所定温度以上ここでは９５℃以上を検知して開成し、７０℃に温度降下すると自動的に閉成状態に復帰するもので、缶体１内が空の状態を該缶体１の表面温度の変化で検知するものである。
【００１３】
１１は缶体１内の湯温を検知する湯温サーミスタで、設定温度と現在湯温とを比較してバーナ部７の燃焼をＯＮ−ＯＦＦ及び比例制御して、湯温を設定温度にすると共に、運転開始時には非空焚き状態であることを検知するものである。
【００１４】
１２は缶体１内へ市水道からの水を減圧して給水する給水管で、缶体１で加熱された温水を適宜給湯必要箇所に供給する給湯管１３と並設されている。
【００１５】
１４は缶体１内の風呂用熱交換器２と浴槽１５とを連通した循環回路で、途中には循環ポンプ１６及び浴槽１５内の湯温を検知する風呂サーミスタ１７が備えられ、該風呂サーミスタ１７によってバーナ部７及び循環ポンプ１６が制御され、風呂の沸き上げ及び追い焚きを行うものである。
【００１６】
１８は煙管３と連通し全体を収納した給湯機を構成する枠体（図示せず）上面より突出した排気筒で、途中には排気時の騒音低下の為のサイレンサー部（図示せず）が備えられている。
【００１７】
前記燃焼ファン９の吸気口８内には、吸気口８を開閉する吸気口開閉弁１９が設けられ、燃焼ファン９とバーナ部７をつなぐ送風経路２０内には、送風経路を開閉する送風経路開閉弁２１が設けられ、排気筒１８内の上流には、排気経路を開閉する排気経路開閉弁２２が設けられているものである。
【００１８】
次にこの発明一実施例の作動について説明する。
まずリモコン（図示せず）に備えられた電源スイッチ（図示せず）をＯＮし（Ｓ１）、次に運転スイッチ（図示せず）をＯＮすると（Ｓ２）、制御部（図示せず）は缶体１内の温水の温度を検知し、その検知した温水温度とリモコンにて設定された設定温度とを比較し（Ｓ３）、設定温度よりも缶体１内の温水の温度が低いとバーナ部７の燃焼を行って加熱する必要があると判断する。
【００１９】
そしてまず、吸気口開閉弁１９と、送風経路開閉弁２１と、排気経路開閉弁２２とが開放されているか確認し（Ｓ４）、全て全開であれば着火動作を行い（Ｓ５）、全て全開でなければ、吸気口開閉弁１９と、送風経路開閉弁２１と、排気経路開閉弁２２とを全て全開状態にして（Ｓ６）、着火動作を行うものである。（Ｓ５）
【００２０】
そして缶体１内の温水がバーナ部７の燃焼により加熱され、缶体１内の温水の温度が設定温度以上になったのを検知すると（Ｓ７）、消火動作を行いバーナ部７の燃焼を停止する。（Ｓ８）
【００２１】
そして燃焼ファン９を一定時間動作させて燃焼室４のガスを排出するポストパージを行うものである。（Ｓ９）
【００２２】
そしてポストパージが終了すると、吸気口開閉弁１９と、送風経路開閉弁２１と、排気経路開閉弁２２とを全て全閉状態にして（Ｓ１０）、（Ｓ１）へと戻るものである。
【００２３】
このようにバーナ部７の燃焼により、缶体１内の温水の温度が設定温度以上になって、バーナ部７の燃焼を停止した後、送風経路開閉弁２１を全閉状態にすることにより、送風経路２０から燃焼室４内に空気が流入せず、又、排気経路開閉弁２２を全閉状態にすることにより、煙管３内の空気が貯湯された温水により温められても排気管１８を上昇していくことができないため、燃焼ファン９から煙管３内を通過して上部の排気管１８に上昇するドラフトによる気流を発生させず、それにより缶体１内の温水が放熱されて缶体１内の温水の温水温度が下がるのを防止できるものである。
【００２４】
更にバーナ部７の燃焼により、缶体１内の温水の温度が設定温度以上になって、バーナ部７の燃焼を停止した後、吸気口開閉弁１９も全閉状態にすることにより、吸気口８から送風経路２内に空気が流入せず、送風経路２内の送風経路開閉弁２１も全閉状態であることでより確実に燃焼室４内に空気が流入するのを防止でき、その上で排気経路開閉弁２２も全閉状態にすることにより、煙管３内の空気が貯湯された温水により温められても排気管１８を上昇していくことができないため、燃焼ファン９から煙管３内を通過して上部の排気管１８に上昇するドラフトによる気流を発生させず、それにより缶体１内の温水が放熱されて缶体１内の温水温度が下がるのを防止できるものである。
【００２５】
又、バーナ部７の燃焼により、缶体１内の温水の温度が設定温度以上になって、バーナ部７の燃焼を停止した後にポストパージを行い、このポストパージ終了後に、吸気口開閉弁１９と送風経路開閉弁２１と排気経路開閉弁２２とを全て全閉状態にすることにより、煙管３や燃焼室４内や排気筒１８内に排気ガスが溜まるのを防止し、消火動作後に吸気口開閉弁１９と、送風経路開閉弁２１と、排気経路開閉弁２２とを全て全閉状態にしても水分を含んだガスが溜まっていないので、水分を含んだガスが冷えてドレイン（結露）となり、煙管３や燃焼室４内での低温腐食の原因となることを防止できるものである。
【符号の説明】
【００２６】
１  缶体
４  燃焼室
７  バーナ部
９  燃焼ファン
１８  排気筒
２０  送風経路
２１  送風経路開閉弁
２２  排気経路開閉弁
【図１】
0005431135.tif 000002
【図２】
0005431135.tif 000003